(57)【要約】【課題】  被収容物を収容した断熱容器が、その出発地から目的地に到達するのに長時間を要する場合でも、上記断熱容器内の上記被収容物が、より確実に所望温度に保持されるようにする。【解決手段】  断熱容器１は、上端部に上方に向かって開く開口３が形成された断熱性の容器本体４と、開口３を開閉可能に閉じて容器本体４の内部空間５を密閉状にする蓋６とを備える。蓋６の上部側にこの蓋６の上方域と側方域とを互いに連通させる連通路１４を形成する。蓋６の上、下部を反転させ、この反転姿勢の蓋で開口３を閉じたとき、連通路１４が内部空間５とその外部とを互いに連通させるようにする。【選択図】    図１
2005289457.tif 000002
【特許請求の範囲】
【請求項１】
上端部に上方に向かって開く開口が形成された断熱性の容器本体と、上記開口を開閉可能に閉じて上記容器本体の内部空間を密閉状にする蓋とを備えた断熱容器において、
上記蓋の上部側にこの蓋の上方域と側方域とを互いに連通させる連通路を形成し、上記蓋の上、下部を反転させ、この反転姿勢の蓋で上記開口を閉じたとき、上記連通路が上記内部空間とその外部とを互いに連通させるようにしたことを特徴とする断熱容器。
【請求項２】
上記蓋の上、下部を反転させ、この反転姿勢の蓋で上記開口を閉じるとき、上記容器本体の上端部の所定位置に上記蓋を位置決めする位置決め手段を備えたことを特徴とする請求項１に記載の断熱容器。
【請求項３】
上記連通路を、上記蓋に形成された切り欠きと溝のうち、少なくともいずれか一方としたことを特徴とする請求項１、もしくは２に記載の断熱容器。
【発明の詳細な説明】
【技術分野】
【０００１】
本発明は、外気に対し断熱すべく収容される被収容物が、より長時間にわたり所望温度に保持されるようにする断熱容器に関するものである。
【背景技術】
【０００２】
上記断熱容器には、従来、下記特許文献１―３に示されるものがある。これら各公報のものによれば、上記断熱容器は、上端部に上方に向かって開く開口が形成された断熱性の容器本体と、上記開口をその上方から開閉可能に閉じて上記容器本体の内部空間を密閉状にする蓋とを備えている。
【０００３】
そして、上記容器本体の内部空間には、外気に対し断熱すべき冷凍食品などの被収容物が取り出し可能に収容され、この被収容物は、上記断熱容器の断熱性により、外気の温度の影響を受けることが防止されて、所望温度に保持されるようになっている。
【０００４】
ところで、上記したように、被収容物を収容した断熱容器は、例えば、出発地から遠方の集荷所に搬送され、そこで、一旦、冷凍庫に収納され、ここから、再び遠方の目的地に向けて搬送されることがあり、このような場合、出発地から目的地まで、長時間を要するために、上記被収容物は外気の温度の影響を大きく受けて、所望温度を保持できなくなるという不都合が生じる。
【０００５】
そこで、上記不都合を解消するため、上記特許文献２，３の公報のものは、次のように構成されている。
【０００６】
即ち、上記容器本体の開口の縁部と蓋の下部側とにそれぞれ切り欠きが形成されている。上記開口を蓋で閉じた断熱容器の通常状態では、上記切り欠きは閉じられていて、容器本体の内部空間は密閉状とされており、断熱容器に収容された被収容物は、上記断熱容器の断熱性により所望温度に保持されている。
【０００７】
一方、上記断熱容器の通常状態から、上記蓋を縦軸回りで所定角度回転させて、この蓋で再び開口を閉じたときには、上記切り欠きが上記内部空間とその外部とを互いに連通させることとされている。
【０００８】
このため、冷凍食品など被収容物を収容した断熱容器が、例えば、冷凍庫に収納されることを経ながら目的地に向けて搬送される場合には、上記断熱容器が冷凍庫に収納されたとき、上記蓋を回転させて上記容器本体の開口を閉じればよく、このようにすれば、上記連通路が上記内部空間とその外部とを互いに連通させるため、断熱容器の外気である冷凍庫内の冷気により、上記容器本体の内部空間の温度が低下させられて、上記被収容物が改めて冷却される。その後、上記断熱容器を目的地に向けて搬送する場合には、上記反転姿勢の蓋を更に回転させて元の姿勢とし、上記容器本体の内部空間を密閉状にして、この内部空間に冷気を封入させればよい。
【０００９】
よって、被収容物を収容した断熱容器が、その出発地から目的地に到達するのに長時間を要する場合でも、上記断熱容器内の上記被収容物は、より確実に所望温度に保持されると考えられる。
【００１０】
【特許文献１】特開２００３−１８２７７７号公報
【特許文献２】実開昭６２−７６１７２号公報
【特許文献３】実公昭５９−４３２６２号公報
【発明の開示】
【発明が解決しようとする課題】
【００１１】
ところで、特に、上記特許文献２，３のものによれば、断熱容器内の被収容物は、より確実に所望温度に保持されるが、上記断熱容器の容器本体と蓋にはそれぞれ切り欠きが形成されており、このため、断熱容器の成形は煩雑となりがちである。
【００１２】
また、上記容器本体の開口の縁部に複数の切り欠きを形成しているため、上記容器本体の開口を開いた状態では、この開口の縁部における切り欠きが、外部に露出する。
【００１３】
このため、第１に、上記容器本体の見栄えが悪くて、好ましくない。
【００１４】
また、第２に、上記容器本体の開口を通して、この容器本体の内部空間に対し被収容物を出し入れするとき、この被収容物の一部が上記切り欠きの角部に引っ掛るおそれがあり、これは、上記容器本体の内部空間への被収容物の円滑な出し入れ作業を阻害するものであって、好ましくない。
【課題を解決するための手段】
【００１５】
本発明は、上記のような事情に注目してなされたもので、本発明の目的は、被収容物を収容した断熱容器が、その出発地から目的地に到達するのに長時間を要する場合でも、上記断熱容器内の上記被収容物が、より確実に所望温度に保持されるようにすることである。
【００１６】
また、本発明の他の目的は、上記目的を達成する断熱容器の成形が容易にできるようにし、また、開口を開いた容器本体の見栄えを向上させると共に、この容器本体の内部空間に対し、その開口を通して被収容物を出し入れするとき、この出し入れの作業が円滑にできるようにすることである。
【００１７】
請求項１の発明は、上端部に上方に向かって開く開口３が形成された断熱性の容器本体４と、上記開口３を開閉可能に閉じて上記容器本体４の内部空間５を密閉状にする蓋６とを備えた断熱容器において、
上記蓋６の上部側にこの蓋６の上方域と側方域とを互いに連通させる連通路１４を形成し、上記蓋６の上、下部を反転させ、この反転姿勢の蓋６´で上記開口３を閉じたとき、上記連通路１４が上記内部空間５と、その外部とを互いに連通させるようにしたものである。
【００１８】
請求項２の発明は、請求項１の発明に加えて、上記蓋６の上、下部を反転させ、この反転姿勢の蓋６´で上記開口３を閉じるとき、上記容器本体４の上端部の所定位置に上記蓋６´を位置決めする位置決め手段７を備えたものである。
【００１９】
請求項３の発明は、請求項１、もしくは２の発明に加えて、上記連通路１４を、上記蓋６に形成された切り欠き１５と溝２４のうち、少なくともいずれか一方としたものである。
【００２０】
なお、この項において、上記各用語に付記した符号は、本発明の技術的範囲を後述の「実施例」の項や図面の内容に限定解釈するものではない。
【発明の効果】
【００２１】
本発明による効果は、次の如くである。
【００２２】
請求項１の発明は、上端部に上方に向かって開く開口が形成された断熱性の容器本体と、上記開口を開閉可能に閉じて上記容器本体の内部空間を密閉状にする蓋とを備えた断熱容器において、
上記蓋の上部側にこの蓋の上方域と側方域とを互いに連通させる連通路を形成し、上記蓋の上、下部を反転させ、この反転姿勢の蓋で上記開口を閉じたとき、上記連通路が上記内部空間とその外部とを互いに連通させるようにしている。
【００２３】
このため、冷凍食品など被収容物を収容した断熱容器が、例えば、冷凍庫に収納されることを経ながら目的地に向けて搬送される場合には、上記断熱容器が冷凍庫に収納されたとき、上記蓋を反転させ、この反転姿勢の蓋で上記容器本体の開口を閉じて、冷凍庫に収納させればよく、このようにすれば、上記連通路が上記内部空間とその外部とを互いに連通させるため、断熱容器の外気である冷凍庫内の冷気と、容器本体の内部空間の空気とが上記連通路を通して入れ替わるよう流動し、これにより、上記容器本体の内部空間の温度が低下させられて、上記被収容物が改めて冷却される。その後、上記断熱容器を目的地に向けて搬送する場合には、上記反転姿勢の蓋を更に反転させて元の姿勢とし、上記容器本体の内部空間を密閉状にして、この内部空間に冷気を封入させればよい。
【００２４】
よって、被収容物を収容した断熱容器が、その出発地から目的地に到達するのに長時間を要する場合でも、上記断熱容器内の上記被収容物は、より確実に所望温度に保持される。
【００２５】
そして、上記したように蓋の反転によって、この蓋の上部側に形成された連通路が、上記内部空間とその外部とを互いに連通させるようにしたため、上記連通路は容器本体と蓋のうち、この蓋に成形すれば足りる。よって、上記容器本体にまでも連通路を成形しないで足りる分、上記断熱容器の成形が容易にできる。
【００２６】
また、上記したように、容器本体の開口の縁部に切り欠きを形成しないで足りることから、第１に、上記開口を開いた容器本体の見栄えが向上する。また、第２に、上記容器本体の内部空間に対し、その開口を通して被収容物を出し入れするとき、この出し入れを切り欠きが阻害するということは防止され、よって、上記容器本体への被収容物の出し入れ作業が円滑にできるという利点もある。
【００２７】
請求項２の発明は、上記蓋の上、下部を反転させ、この反転姿勢の蓋で上記開口を閉じるとき、上記容器本体の上端部の所定位置に上記蓋を位置決めする位置決め手段を備えている。
【００２８】
このため、上記した反転姿勢の蓋で開口を閉じる作業は、上記位置決め手段の位置決め作用によって、より容易にでき、つまり、断熱容器内の被収容物を、より確実に所望温度に保持させるための作業が、より容易にできる。
【００２９】
請求項３の発明は、上記連通路を、上記蓋に形成された切り欠きと溝のうち、少なくともいずれか一方としている。
【００３０】
ここで、上記切り欠きや溝は単純な形状であることから、これにより構成される連通路の成形は容易にでき、よって、連通路を設けたものでありながら、断熱容器の成形は更に容易にできる、という利点がある。
【発明を実施するための最良の形態】
【００３１】
本発明の断熱容器に関し、被収容物を収容した断熱容器が、その出発地から目的地に到達するのに長時間を要する場合でも、上記断熱容器内の上記被収容物が、より確実に所望温度に保持されるようにする、という目的と、断熱容器の成形が容易にできるようにし、また、開口を開いた容器本体の見栄えを向上させると共に、この容器本体の内部空間に対し、その開口を通して被収容物を出し入れするとき、この出し入れの作業が円滑にできるようにする、という他の目的とを実現するため、本発明を実施するための最良の形態は、次の如くである。
【００３２】
即ち、断熱容器は、上端部に上方に向かって開く開口が形成された断熱性の容器本体と、上記開口をその上方から開閉可能に閉じて上記容器本体の内部空間を密閉状にする蓋とを備えている。
【００３３】
上記蓋の上部側にこの蓋の上方域と側方域とを互いに連通させる連通路を形成し、上記蓋の上、下部を反転させ、この反転姿勢の蓋で上記開口を閉じたとき、上記連通路が上記内部空間とその外部とを互いに連通させるようにしている。
【実施例１】
【００３４】
本発明をより詳細に説明するために、その実施例１を添付の図１―５に従って説明する。
【００３５】
図１―４において、符号１は外気に対し断熱すべき冷凍食品など被収容物２を収容可能とする断熱容器であり、より具体的には保冷容器である。
【００３６】
上記断熱容器１は、外形が全体として直方体形状をなし、上端部に上方に向かって開く開口３が形成された断熱性の容器本体４と、上記開口３をその上方から開閉可能に閉じて上記容器本体４の内部空間５を密閉状にする平面視矩形で平板形状の蓋６と、この蓋６で上記開口３を閉じたとき、上記容器本体４に対する水平各方向での所定位置に上記蓋６を位置決めする位置決め手段７と、上記蓋６を上記容器本体４に着脱可能に連結させる連結具８とを備えている。
【００３７】
上記容器本体４は、この容器本体４の外殻を構成して上端部に上記開口３が形成される膜材製の容器外皮１０と、この容器外皮１０の底面に面接合する矩形平板形状の底部断熱板１１と、上記容器外皮１０の４つの内側面にそれぞれ面接合する矩形平板形状の内側部断熱板１２とを備えている。上記各断熱板１１，１２のそれぞれ主体は発泡樹脂製とされている。
【００３８】
上記蓋６は、その主体が発泡樹脂製とされ、上記蓋６の上部側にこの蓋６の上方域と側方域とを互いに連通させる連通路１４が形成されている。この連通路１４は、上記蓋６の上部の角部を切り欠くことにより成形された複数の切り欠き１５で構成されている。
【００３９】
上記位置決め手段７は、上記容器外皮１０の上端縁部１７で構成されている。この上端縁部１７は、上記各内側部断熱板１２の上端よりも少し上方にまで突出し、上記容器外皮１０の上端縁部１７で囲まれた空間が上記開口３に相当している。上記蓋６で上記開口３を閉じるとき、上記蓋６は、上記容器外皮１０の上端縁部１７内の上記開口３に対し、その上方から嵌脱可能に嵌入され、この嵌入により、上記蓋６は上記容器本体４の上端部に位置決めされると共に、上記開口３を全閉状に閉じて、上記内部空間５を密閉状にさせる。
【００４０】
上記連結具８は、上記蓋６からその外側方に延出する複数の連結ベルト１９を有し、これら各連結ベルト１９の延出端部と上記容器本体４の上部外側面とが面テープ２０により着脱可能に固着され、これにより、上記容器本体４に蓋６が連結されている。
【００４１】
図５で示すように、上記蓋６の上、下部を反転させ、この反転姿勢の蓋６´で上記開口３を閉じたとき、この蓋６´の上面は全体的に平坦状とされており、この蓋６´の上面には、上記断熱容器１と同形同大の他の断熱容器１が載置可能とされている。
【００４２】
また、上記した反転姿勢の蓋６´で上記開口３を閉じるとき、上記蓋６´は、上記開口３に対し、その上方から嵌脱可能に嵌入され、この嵌入により、上記蓋６´は上記容器本体４の上端部に対し水平各方向で位置決めされて、上記開口３を閉じる。つまり、上記容器外皮１０の上端縁部１７により構成される位置決め手段７は、反転姿勢の蓋６´を上記容器本体４の上端部に位置決めさせる位置決め手段を兼用している。
【００４３】
上記開口３の縁部である上記容器外皮１０の上端縁部１７と、上記した反転姿勢の蓋６´との間に上記連通路１４が位置し、この連通路１４は上記容器本体４の内外を連通させている。このため、断熱容器１の外気と、容器本体４の内部空間５の空気とが上記連通路１４を通して入れ替わるよう流動可能となる（図５中矢印Ａ）。
【００４４】
上記構成によれば、蓋６の上部側にこの蓋６の上方域と側方域とを互いに連通させる連通路１４を形成し、上記蓋６の上、下部を反転させ、この反転姿勢の蓋６´で上記開口３を閉じたとき、上記連通路１４が上記内部空間５とその外部とを互いに連通させるようにしている。
【００４５】
このため、冷凍食品など被収容物２を収容した断熱容器１が、例えば、冷凍庫に収納されることを経ながら目的地に向けて搬送される場合には、上記断熱容器１が冷凍庫に収納されたとき、上記蓋６を反転させ、この反転姿勢の蓋６´で上記容器本体４の開口３を閉じて（図５）、冷凍庫に収納させればよく、このようにすれば、冷凍庫内の温度は、一般に、−２５〜３０℃であって、上記連通路１４が上記内部空間５とその外部とを互いに連通させるため、断熱容器１の外気である冷凍庫内の冷気と、容器本体４の内部空間５の空気とが上記連通路１４を通して入れ替わるよう流動し、これにより、上記容器本体４の内部空間５の温度が低下させられて、上記被収容物２が改めて冷却される。その後、上記断熱容器１を目的地に向けて搬送する場合には、上記反転姿勢の蓋６´を更に反転させて元の姿勢とし、上記容器本体４の内部空間５を密閉状にして、この内部空間５に冷気を封入させればよい。
【００４６】
よって、被収容物２を収容した断熱容器１が、その出発地から目的地に到達するのに長時間を要する場合でも、上記断熱容器１内の上記被収容物２は、より確実に所望温度に保持される。
【００４７】
そして、上記したように蓋６の反転によって、この蓋６の上部側に形成された連通路１４が、上記内部空間５とその外部とを互いに連通させるようにしたため、上記連通路１４は容器本体４と蓋６のうち、この蓋６に成形すれば足りる。よって、上記容器本体４にまでも連通路１４を成形しないで足りる分、上記断熱容器１の成形が容易にできる。
【００４８】
また、上記したように、容器本体４の開口３の縁部に切り欠きを形成しないで足りることから、第１に、上記開口３を開いた容器本体４の見栄えが向上する。また、第２に、上記容器本体４の内部空間５に対し、その開口３を通して被収容物２を出し入れするとき、この出し入れを切り欠きが阻害するということは防止され、よって、上記容器本体４への被収容物２の出し入れ作業が円滑にできるという利点もある。
【００４９】
また、前記したように、蓋６の上、下部を反転させ、この反転姿勢の蓋６´で上記開口３を閉じるとき、上記容器本体４の上端部の所定位置に上記蓋６´を位置決めする位置決め手段７を備えている。
【００５０】
このため、上記した反転姿勢の蓋６´で開口３を閉じる作業は、上記位置決め手段７の位置決め作用によって、より容易にでき、つまり、断熱容器１内の被収容物２を、より確実に所望温度に保持させるための作業が、より容易にできる。
【００５１】
また、前記したように、連通路１４を、上記蓋６に形成された切り欠き１５と溝２４のうち、少なくともいずれか一方としている。
【００５２】
ここで、上記切り欠き１５や溝２４は単純な形状であることから、これにより構成される連通路１４の成形は容易にでき、よって、連通路１４を設けたものでありながら、断熱容器１の成形は更に容易にできる、という利点がある。
【００５３】
以下の各図は、実施例２，３を示している。これら各実施例は、前記実施例１と構成、作用効果において多くの点で共通している。そこで、これら共通するものについては、図面に共通の符号を付してその重複した説明を省略し、異なる点につき主に説明する。また、これら各実施例における各部分の構成を、本発明の目的、作用効果に照らして種々組み合せてもよい。
【実施例２】
【００５４】
本発明をより詳細に説明するために、その実施例２を添付の図６，７に従って説明する。
【００５５】
図６において、上記容器本体４における容器外皮１０と各内側部断熱板１２の各上端部は互いにほぼ同じ高さとされ、上記各内側部断熱板１２の上端縁部で囲まれた空間が上記開口３とされている。
【００５６】
上記蓋６で上記開口３を閉じるとき、上記蓋６は上記開口３に対しその上方から印ろう状に嵌脱可能に嵌入され、この印ろう構造が上記位置決め手段７とされている。そして、上記嵌入により、上記蓋６は上記容器本体４の上端部に対し水平各方向で位置決めされると共に、上記開口３を全閉状に閉じて、上記内部空間５を密閉状にさせる。
【００５７】
図７において、上記した反転姿勢の蓋６´で上記開口３を閉じるとき、上記蓋６´は上記開口３に対しその上方から印ろう状に嵌脱可能に嵌入され、この印ろう構造が他の位置決め手段２２とされている。そして、上記嵌入により、上記蓋６´は上記容器本体４の上端部に対し水平各方向で位置決めされると共に、上記開口３を全閉状に閉じる。
【実施例３】
【００５８】
本発明をより詳細に説明するために、その実施例２を添付の図８に従って説明する。
【００５９】
図８において、上記連通路１４は、上記蓋６の下面に形成された直線的、曲線的な溝２４とされている。
【００６０】
ここで、上記溝２４は、上記切り欠き１５と同様に単純な形状であるため、連通路１４を切り欠き１５にしたと同様の作用効果が生じる。
【００６１】
なお、以上は図示の例によるが、上記断熱容器１は保温容器であってもよく、この場合、上記連通路１４は、上記容器本体４の内部空間５における水蒸気を断熱容器１の外部に排出させるためのものであってもよい。また、上記連通路１４は、上記蓋６に形成される貫通孔であってもよい。また、上記連結具８はバックルなどであってもよく、反転姿勢の蓋６´を容器本体４に連結させる連結具を設けてもよい。
【図面の簡単な説明】
【００６２】
【図１】実施例１を示し、断熱容器の斜視展開図である。
【図２】実施例１を示し、断熱容器の平面図である。
【図３】実施例１を示し、図２の３‐３線矢視断面部分破断図である。
【図４】実施例１を示し、図２の４‐４線矢視断面部分破断図である。
【図５】実施例１を示し、作用を説明する図で、図３に相当する図である。
【図６】実施例２を示し、図３に相当する図である。
【図７】実施例２を示し、図５に相当する図である。
【図８】実施例３を示し、図２に相当する図である。
【符号の説明】
【００６３】
１    断熱容器
２    被収容物
３    開口
４    容器本体
５    内部空間
６    蓋
６´  蓋
７    位置決め手段
１０  容器外皮
１１  断熱板
１２  断熱板
１４  連通路
１５  切り欠き
１７  上端縁部
２２  位置決め手段
２４  溝
【図１】
2005289457.tif 000003
【図２】
2005289457.tif 000004
【図３】
2005289457.tif 000005
【図４】
2005289457.tif 000006
【図５】
2005289457.tif 000007
【図６】
2005289457.tif 000008
【図７】
2005289457.tif 000009
【図８】
2005289457.tif 000010